(57)【要約】      （修正有）【課題】複数の火災警報器の電池の電力消費が均等に行えるとともに、火災警報器側の故障等の不具合に対して迅速な対応を促すことのできる火災警報システムを提供する。【解決手段】火災警報システム１は、電池駆動の火災警報器２が連動動作可能に複数配設されており、各火災警報器２は、記憶部に記憶された点検信号を送信する順番にしたがって所定期間毎に点検信号を送信し、当該点検信号を受信しない火災警報器２は、自己の順番の直前の順番の火災警報器２から送信されるべき点検信号を受信しないときに所定期間の終点から予め設定された遅延時間後に点検信号を送信するように構成される。【選択図】図１
2011248791.tif 000002
【特許請求の範囲】
【請求項１】
火災を検知する火災検知部と；
グループ化された他の火災警報器との間で無線信号を送受信する送受信部と；
火災検知部が火災を検知したときにまたは送受信部が前記他の火災警報器から送信された火災信号を受信したときに火災発生を報知する報知部と；
自己のＩＤ番号を有する点検信号を送受信部から送信し、送受信部が前記他の火災警報器から送信された点検信号を受信したときに当該点検信号に対する自己のＩＤ番号を有する返答信号を送受信部から送信し、前記点検信号を送信したときに前記他の火災警報器の少なくとも１つから前記返答信号を受信しないときには報知部で異状を報知する点検手段と；
自己および前記他の火災警報器のＩＤ番号と、前記点検信号を送信する順番とを記憶する記憶部と；
駆動電源を供給する電池と；
を具備する火災警報器が連動動作可能に複数配設されており、
各火災警報器は、記憶部に記憶された前記順番にしたがって所定期間毎に点検信号を送信し、当該点検信号を受信しない火災警報器は、自己の前記順番の直前の順番の火災警報器から送信されるべき点検信号を受信しないときに前記所定期間の終点から予め設定された遅延時間後に点検信号を送信することを特徴とする火災警報システム。
【請求項２】
前記順番が連続する複数の火災警報器が共に点検信号を受信しないときには、当該複数の火災警報器のうち２番目以降の火災警報器は、その直前の前記順番の火災警報器から送信されるべき点検信号を受信しないときに、前記遅延時間が経過する毎に、順次点検信号を送信することを特徴とする請求項１記載の火災警報システム。
【発明の詳細な説明】
【技術分野】
【０００１】
本発明は、火災発生を検知する火災検知部を有し、無線により火災信号を送受信する火災警報器が連動動作するように複数配設される火災警報システムに関する。
【背景技術】
【０００２】
住宅用火災警報器は、屋内の各部屋などにそれぞれ配設され、互いに連動動作するように構成されている。そして、最近では、住宅用火災警報器同士で無線信号を送受信する住宅用火災警報システムが用いられている（例えば特許文献１参照。）。すなわち、例えば１つの住宅用火災警報器が火災発生時に警報を発したときに無線信号を送信し、屋内に配設される他の複数の住宅用火災報知器がこの無線信号を受信して警報を発することにより、火災発生を屋内の人たちに迅速に告知できるようにしている。
【０００３】
また、住宅用火災警報器は、電池駆動式のものが用いられており、低消費電流化や電力供給の遮断、接続の交互化などにより電力の消費の節減が行われて、電池の長寿命化が図られている。例えば、特許文献１の住宅用火災警報システムにおいては、受信部は、無線信号受付時間とこれよりも長い休止期間とを交互に繰り返して、他の住宅用火災警報器からの受付を行うことにより、電池寿命を長くしている。
【先行技術文献】
【特許文献】
【０００４】
【特許文献１】特開２００９−２３８２５０号公報（第６−７頁、第１図）
【発明の概要】
【発明が解決しようとする課題】
【０００５】
住宅用火災警報器は、例えば所定期間毎に点検信号を送信して、他の住宅用火災警報器が火災信号を正常に受信するか否かの確認を行っている。そして、当該確認は、他の住宅用火災警報器から点検信号に対して送信された返答信号を受信することによって行うものがある。
【０００６】
従来の住宅用火災警報システムは、例えば特許文献１に示すように、点検信号を送信し返答信号を受信する住宅用火災警報器が親機となり、他の住宅用火災警報器が子機として用いられている。この場合、親機の住宅用火災警報器は、子機の住宅用火災警報器に比べて電力消費が多くなり、早く電池交換を要するという問題がある。
【０００７】
また、子機の住宅用火災警報器に故障等の点検信号を受信できない不具合がある場合には、当該不具合が親機の住宅用火災警報器での報知のみで行われるので、屋内の人に迅速に告知されにくく、また、緊急に当該不具合の対応に取り組みにくい。また、当該報知を強制的に手動停止することがあり、この場合、前記不具合を忘れてしまうことがあるという欠点を有する。さらに、親機の住宅用火災警報器が故障すると、定期点検が行われないという問題がある。
【０００８】
本発明は、複数の火災警報器の電池の電力消費が均等に行えるとともに、火災警報器側の故障等の不具合に対して迅速な対応を促すことのできる火災警報システムを提供することを目的とする。
【課題を解決するための手段】
【０００９】
本実施形態の火災警報システムは、火災警報器が連動動作可能に複数配設されて構成される。複数の火災警報器は、グループ化されている。そして、火災警報器は、火災検知部、送受信部、報知部、点検手段、記憶部および電池を有して構成される。
【００１０】
火災検知部は、火災を検知する。例えば、煙を煙検知ユニットで検知し、熱をサーミスタなどの温度センサで検知し、その検知量が予め設定された基準値以上となったときに火災発生を検知する。
【００１１】
送受信部は、自己の火災警報器と他の火災警報器との間で無線信号を送受信する。
【００１２】
報知部は、火災検知部が火災を検知したときにまたは送受信部がグループ化された他の火災警報器から送信された火災信号を受信したときに火災発生を報知し、または、火災警報器の異状を報知する。
【００１３】
点検手段は、自己のＩＤ番号を有する点検信号を送受信部から送信し、送受信部が他の火災警報器から送信された点検信号を受信したときに当該点検信号に対する自己のＩＤ番号を有する返答信号を送受信部から送信する。そして、点検信号を送信したときにおいて、他の火災警報器の少なくとも１つから返答信号を受信しないときには報知部で異状を報知する。
【００１４】
記憶部は、グループ化された自己の火災警報器および他の火災警報器のＩＤ番号と、点検信号を送信する順番とを記憶する。
【００１５】
電池は、各構成要素に駆動電源を供給する。
【００１６】
そして、各火災警報器は、記憶部に記憶された順番にしたがって所定期間毎に点検信号を送信する。そして、点検信号を受信しない火災警報器は、自己の順番の直前の順番の火災報知器から送信されるべき点検信号を受信しないときに所定期間の終点から予め設定された遅延時間後に点検信号を送信するものである。
【発明の効果】
【００１７】
本発明によれば、グループ化された複数の火災警報器は、順番に点検信号を送信することにより、電池の電力がほぼ均等に消費されていき、電池容量がほぼ均等に減少していくので、電池切れの際に電池交換を全ての火災警報器に対して同時に行うことができて、電池の交換作業の省力化を図ることができる。
【００１８】
また、点検信号を送信した火災警報器の報知部で複数の火災警報器に異状の火災警報器があることが報知されるので、異状の火災警報器を特定して正常に復帰させることが可能であり、これにより、複数の火災報知器は、火災発生時に火災発生を正常に報知することが期待できる。
【００１９】
さらに、複数の火災警報器の何れかの故障や電波障害物などにより、正常であって点検信号を受信しない火災警報器があると、当該火災警報器が点検信号を送信し異状を報知することになるので、複数の火災警報器の順番が一巡したときには、点検信号を送信した火災警報器でそれぞれ異状を報知することができ、これにより、屋内の人に火災警報器に異状があることを迅速に告知して緊急な対応を促すことが期待できる。
【図面の簡単な説明】
【００２０】
【図１】本発明の実施例１を示す火災警報システムを示す概略ブロック図である。
【図２】同じく、火災警報システムを示し、（ａ）は第１の電波障害物が設けられているときの概略ブロック図、（ｂ）は第２の電波障害物が設けられているときの概略ブロック図である。
【図３】同じく、火災警報器の要部構成を示す概略ブロック図である。
【図４】同じく、火災警報器の概略斜視図である。
【図５】同じく、火災警報器の概略平面図である。
【図６】同じく、火災警報器の概略側面図である。
【図７】同じく、火災警報器の概略側断面図である。
【図８】本発明の実施例２を示す火災警報システムを示す概略ブロック図である。
【発明を実施するための形態】
【００２１】
以下、本発明の一実施の形態について、図面を参照して説明する。
【実施例１】
【００２２】
図１ないし図７は、本発明の実施例１を示す火災警報システムおよび火災警報器を説明するための図面である。
【００２３】
図１において、火災警報システム１は、複数の火災警報器２が無線信号を送受信して連動動作するように配設されている。すなわち、各火災警報器２は、それぞれＩＤ番号（アドレス）を有し、隣り合うＩＤ番号の火災警報器２との間で無線信号を送受信する。また、ＩＤ番号２，３，４の各火災警報器２は、火災信号、点検信号または返答信号などの無線信号を受信すると、火災連動信号、点検連動信号または返答連動信号などの無線信号を送信する中継機能として動作する。こうして、各火災警報器２は、いずれか一の火災警報器２から送信された火災信号に応じて連動動作する１つのグループに構成されている。
【００２４】
図３において、火災警報器２は、住宅用の火災警報器であり、火災検知部３、送受信部４、報知部５、点検手段を構成する点検部６および制御部７、記憶部８および電池９を有して構成されている。そして、制御部７は、火災検知部３、送受信部４および報知部５を制御監視するものである。以下、火災警報システムを住宅用火災警報システム１として、火災警報器を住宅用火災警報器２として説明する。
【００２５】
火災検知部３は、煙を検知するものであり、発光素子１０および受光素子１１を備えている。すなわち、発光素子１０の発光により放射された光は、煙の粒子で散乱され、その散乱光が受光素子１１に入射される。そして、受光素子１１の検知量（受光量）に応じた電圧が増幅器１２で増幅され、入出力部１３を介して制御部７に送信される。そして、煙の濃度が高まって煙の粒子が増加し、受光素子１１が検知する検知量に応じた電圧が予め設定された基準値以上になると、制御部７は、火災発生と判断する。このように、火災検知部３は、受光素子１１の検知量に応じて火災を検知する。
【００２６】
送受信部４は、グループ化された他の住宅用火災警報器２との間で無線信号を送受信するように形成されている。すなわち、アンテナ１４から火災信号を無線信号で送信し、アンテナ１４で連動動作する他の住宅用火災警報器２から送信された火災信号を受信する。制御部７は、火災検知部３が火災を検知したときに、火災信号を送受信部４の入出力部１５に出力する。送受信部４は、当該火災信号を増幅器１６で増幅してアンテナ１４から無線で送信する。また、アンテナ１４で受信した火災信号を増幅し、入出力部１５を介して制御部７に送信するように形成されている。
【００２７】
また、送受信部４は、点検信号を送受信する。点検信号は、火災信号と同等の信号であり、火災信号と区別する識別記号を有している。アンテナ１４から送信される点検信号は、制御部７から入出力部１５に入力され、アンテナ１４で受信した点検信号は、入出力部１５から点検部６および制御部７に出力される。
【００２８】
また、送受信部４は、自己のＩＤ番号を有する返答信号を送信し、他の住宅用火災警報器２から送信されたＩＤ番号を有する返答信号を受信する。そして、受信した返答信号は、入出力部１５から点検部６および制御部７に出力される。また、送受信部４は、図１で説明したように、火災連動信号、点検連動信号または返答連動信号を送受信するように形成されている。以下、火災信号、点検信号または返答信号は、それぞれ火災連動信号、点検連動信号または返答連動信号を含むものとする。
【００２９】
報知部５は、表示灯としての発光ダイオード１７および音声を発するスピーカ１８を備えている。報知部５は、火災検知部３が火災を検知したときに、または送受信部４が他の住宅用火災警報器２から送信された火災信号を受信したときに、制御部７から入力部１９に警報データおよび点滅データの制御信号が送信される。発光ダイオード１７は、点滅データに応じて例えば０．５秒間隔で点滅する。また、スピーカ１８は、増幅器２０で警報データが増幅され、例えば「ピューピューピュー、火事です、火事です。」という音声メッセージを発する。これにより、屋内の人に火災発生が報知される。
【００３０】
また、報知部５は、制御部７から異状のデータ信号が送信される。発光ダイオード１７は、例えば、例えば１秒間隔で点滅し、スピーカ１８は、例えば、「受信異常のものがあります。」の音声メッセージを発する。すなわち、屋内に火災信号を正常に受信できない住宅用火災警報器２があることが報知される。この報知は、一定時間（例えば３０分）毎に行われる。
【００３１】
なお、報知部５は、火災発生の報知と、異状の報知との両方を行う一体に形成されているが、これらの報知をそれぞれ行う別体に構成されていてもよい。
【００３２】
点検部６および制御部７は、点検手段を形成している。点検部６は、操作スイッチ２１を接続し、タイマー２２を備えている。制御部７は、マイクロコンピータ（マイコン）に形成され、ＣＰＵ（中央処理装置）２３、ＲＯＭ２４およびＲＡＭ２５を有して構成されている。ＣＰＵ２３は、プログラムに基づいて各種演算や制御を行う。ＲＯＭ２４は、プログラム、火災報知の音声メッセージデータおよび表示データ、異状の音声メッセージデータおよび表示データ、煙検知の基準値、一定時間、所定期間および遅延時間などを記憶している。また、ＲＡＭ２５は、点検部６から送信されたデータなどの各種データを記憶する。
【００３３】
また、制御部７は、記憶部８を内蔵している。記憶部８は、自己の住宅用火災警報器２のＩＤ番号および他の住宅用火災警報器２のＩＤ番号と、予め設定された各住宅用火災警報器２の点検信号を送信する順番を記憶している。この順番は、図１において、例えばＩＤ番号１の住宅用火災警報器２、ＩＤ番号２の住宅用火災警報器２、…、ＩＤ番号５の住宅用火災警報器２、そして、ＩＤ番号１の住宅用火災警報器２として、以後、これを繰り返すものである。すなわち、各住宅用火災警報器２のＩＤ番号の増加順で輪番させている。
【００３４】
図３において、操作スイッチ２１がオンオフされると、点検部６は、制御部７に操作制御信号を出力して、制御部７の制御により送受信部４から点検信号を送信するように形成されている。また、点検部６は、タイマー２２の計時に応じて所定期間（例えば２４時間）毎に点検開始信号を制御部７に出力する。制御部７は、記憶部８に記憶されている各住宅用火災警報器２の順番に基づいて、点検信号を送信する順番であるか否かを判断し、順番であるとき点検信号を送受信部４から送信させる。すなわち、制御部７は、送受信部４が他の住宅用火災警報器２から送信された点検信号を受信したときに、当該点検信号のＩＤ番号を記憶部８に記憶するとともに、記憶部８に記憶している住宅用火災警報器２のＩＤ番号および点検信号を送信する順番に基づいて、受信した点検信号の順番および自己のＩＤ番号の順番があと何番目であるかを演算して、記憶部８に記憶する。そして、自己のＩＤ番号の順番が次の順番であるときに、点検部６から点検開始信号が出力されると、自己のＩＤ番号を有する点検信号を送受信部４から他の住宅用火災警報器２に対して送信する。こうして、グループ化された各住宅用火災警報器２は、記憶部８に記憶される順番にしたがって所定期間毎に点検信号を送信する。
【００３５】
また、制御部７は、送受信部４において、所定期間が経過しても点検信号を受信しないときには、記憶部８に記憶されている各住宅用火災警報器２のＩＤ番号および順番に基づいて、当該所定期間の経過時点で送信されるべき点検信号が自己の順番の直前の順番の住宅用火災警報器２から送信される点検信号であるか否かを判断する。そして、当該点検信号が自己の順番の直前の順番の住宅用火災警報器２から送信されるべき点検信号であるときには、所定期間の終点から予め設定された遅延時間（例えば２０分）後に、自己のＩＤ番号を有する点検信号を送受信部４から送信させる。
【００３６】
また、制御部７は、前記所定期間の終点から予め設定された前記遅延時間が経過しても点検信号を受信しないときには、その遅延時間毎に順番を次の順番にして、当該順番に対して自己のＩＤ番号の順番があと何番目であるかを演算し、記憶部８に上書きして記憶する。そして、自己の順番が次の順番であるときに、遅延時間が経過しても、自己の順番の直前の順番の住宅用火災警報器２から送信されるべき点検信号を受信しないときには、自己のＩＤ番号を有する点検信号を送受信部４から送信するものである。
【００３７】
そして、制御部７は、送受信部４が他の住宅用火災警報器２から送信された点検信号を受信したときには、点検信号に対する自己のＩＤ番号を有する返答信号を送受信部４から送信する。
【００３８】
制御部７は、点検信号を送信したときに、他の住宅用火災警報器２から送信された返答信号を送受信部４が受信すると、当該返答信号を入力し、返答信号に付与されたＩＤ番号と記憶部８に記憶されたＩＤ番号を対照する。そして、返答信号に付与されたＩＤ番号が記憶部８に記憶されたＩＤ番号に有るか無いかにより、送受信部４との間で無線信号を送受信しない他の住宅用火災警報器２があるか否かを判断する。そして、無線信号を送受信しない他の住宅用火災警報器２が１つでもあるときには、報知部５に異状データを送信し、報知部５から異状を報知するように形成されている。すなわち、点検信号を送信したときにグループ化された他の住宅用火災警報器２の少なくとも１つから返答信号を受信しないときには報知部５で異状を報知するものである。
【００３９】
また、制御部７は、上述した制御を行う他に、報知部５が火災発生を報知しているときに操作スイッチ２１のオン操作が行われて点検部６から停止信号が送信されると、一定の期間例えば１０分に亘って火災発生を報知する警報データおよび点滅データの制御信号の送信を停止するように形成されている。これにより、報知部５による火災発生の報知が停止される。操作スイッチ２１のオン操作は、火災発生が終了したとき、または連動動作している複数の住宅用火災警報器２のうち、操作スイッチ２１がオン操作された住宅用火災警報器２が火元を検知しているか否かを確認するために行われる。
【００４０】
さらに、制御部７は、送受信部４から送信する無線信号の周波数を自動設定する。すなわち、住宅用火災警報器２を設置したときに、１つの住宅用火災警報器２において、外部の電気機器から送信される電波を送受信部４で受信させ、当該電波の周波数帯域以外であって特定省電力無線などの規格化された周波数から無線信号の周波数を設定する。そして、１つの住宅用火災警報器２から他の住宅用火災警報器２に設定信号を送信して、無線信号の周数数をＲＯＭ２４に記憶させる。これにより、各住宅用火災警報器２の制御部７は、無線信号を当該周波数で送信させる。
【００４１】
そして、制御部７には、電池９が接続されている。電池９は、例えばリチウム電池である。制御部７は、その制御により、火災検知部３ないし点検部６などに対して駆動電源を供給している。制御部７は、火災検知部３、送受信部４および点検部６などに対して、通常時には低消費電流を供給し、それらが検知動作するときには通常電流を供給する。また、報知部５には、火災発生や異状のときなどに通常電流を供給し、通常時には電流供給を遮断したり、低消費電流を供給している。すなわち、電池９の電力消費を可能な限り低減させて、電池９が長寿命となるようにしている。
【００４２】
そして、火災検知部３は、煙検知ユニット２６に、送受信部４ないし制御部７は、無線ユニット２７に構成されている。
【００４３】
住宅用火災警報器２は、図４および図５に示すように、火災警報器本体を構成するケース本体２８内に、煙検知ユニット２６および無線ユニット２７（図示しない。）を設けている。
【００４４】
ケース本体２８は、住宅用火災警報器２を平面視したときに、円形形状を有し、カバー２９と、このカバー２９が着脱自在に取付けられるベース部３０とを有して構成される。ベース部３０は、天井等に取り付けられる取り付け面（図示しない。）を有している。
【００４５】
カバー２９は、カバー表面２９ａより高さ方向に突出するカバー蓋部３１と、このカバー蓋部３１とカバー表面２９ａとの間に設けられた、煙を導入するための開口部３２とを有して構成されている。カバー蓋部３１は、住宅用火災警報器２を平面視したときに円形形状を有し、カバー２９の延設部２９ｂを介して、カバー２９と一体的に構成されている。
【００４６】
また、カバー２９上には、操作スイッチ２１と、報知用開口溝３３が設けられている。操作スイッチ２１は、押下することでオンする。操作スイッチ２１は、その操作部が内部に設けられた発光ダイオード１７による光が透過する材質で形成されている。報知用開口溝３３は、ケース本体２８内に設けられたスピーカ１８などからの音声を効果的に外部へと伝えるための貫通孔である。
【００４７】
煙検知ユニット２６は、図６に示すように、例えば円筒状に構成されたもので、側面部２６ａの外周面全体が煙を導入する導入部分として構成されている。この側面部２６ａの外周面には、煙などの気体が通過可能で、かつ、虫などが侵入しないように図示しない防虫金網等が設けられている。
【００４８】
また、煙検知ユニット２６の内部には、火災検知部３が収容されている。そして、図示はしないが、発光素子１０と、受光素子１１とが同心円状で、かつ、この同心円の中心と発光素子１０および受光素子１１のそれぞれを結ぶ線分が所定の角度となるように配置されている。煙検知ユニット２６は、電源がオン状態である場合、発光素子１０から定期的に光が出射されている。そして、侵入した煙の検知量に応じて火災を検知する。
【００４９】
ケース本体２８は、図７に示すように、その内部にカバー２９に取り付けられる中底部材３４が設けられている。無線ユニット２７は、中底部材３４に固定されている。そして、無線ユニット２７からアンテナ１４が延出されている。
【００５０】
そして、中底部材３４には、電池収容部３５が設けられている。この電池収容部３５に、電池としてのリチウム電池９が収容されている。
【００５１】
上述の住宅用火災警報器２は、図１に示すように、その複数個例えば５個が連動動作可能に配設されることにより、火災警報システムとしての住宅用火災警報システム１が構成されている。そして、１つの住宅用火災警報器２が火災発生を検知すると、各住宅用火災警報器２の送受信部４が火災信号の無線信号を送受信して、各住宅用火災警報器２の報知部５から火災発生が報知される。
【００５２】
そして、各住宅用火災警報器２は、記憶部８に記憶されている予め設定された順番で、所定期間例えば２４時間毎に点検信号を送信する。点検信号を受信した住宅用火災警報器２は、自己のＩＤ番号を有する返答信号を送信する。点検信号を送信した住宅用火災警報器２は、全ての住宅用火災警報器２から返答信号を受信することにより、各住宅用火災警報器２が正常であると判断する。すなわち、各住宅用火災警報器２は、屋内に火災が発生したときに、報知部５で火災発生を報知できると判断する。そして、他の住宅用火災警報器２の１つからでも返答信号が送信されないときには、自己の報知部５で異状を報知するものである。
【００５３】
次に、本発明の実施例１の作用について述べる。
【００５４】
グループ化された複数の住宅用火災警報器２は、電池９で駆動していて、記憶部８に記憶されている順番にしたがって所定期間（例えば２４時間）毎に点検信号を送信する。図１において、例えば、所定期間毎に、ＩＤ番号１、ＩＤ番号２、ＩＤ番号３、ＩＤ番号４、ＩＤ番号５の各住宅用火災警報器２の順に、点検信号が送信される。このとき、点検信号を送信する住宅用火災警報器２は、点検信号を送信する分、電池９の電力（蓄電量）が消費される。
【００５５】
そして、点検信号を送信した住宅用火災警報器２を除く他の住宅用火災警報器２は、点検信号を受信し、かつ、電池寿命に余裕があり、火災検知部３での火災の検知または火災信号の受信により報知部で火災発生を正常に報知できる状態であるときには、点検信号に対する返答信号を送信する。この点検信号を受信し返答信号を送信するときに、制御部７は、低消費電流で動作している送受信部４などに電池９から通常電流を供給して動作させる。したがって、その分、電池９の電力が消費される。
【００５６】
点検信号を送信した住宅用火災警報器２は、他の住宅用火災警報器２から送信された返答信号を受信する。これにより、報知部５での異状の報知がされない。したがって、住宅用火災警報システム１の各住宅用火災警報器２は、正常に火災発生を報知できることが確認される。
【００５７】
上述したように、住宅用火災警報システム１は、各住宅用火災警報器２が記憶部８に記憶された順番にしたがって所定期間毎に点検信号を送信するので、電池９の電力がほぼ均等に消費されていき、電池容量がほぼ均等に減少していき、各住宅用火災警報器２をほぼ同時に電池切れとすることができる。したがって、電池交換を各住宅用火災警報器２に対して同時に行うことができて、電池９の交換作業の省力化を図ることができる。
【００５８】
そして、図２（ａ）に示すように、例えばＩＤ番号２の住宅用火災警報器２とＩＤ番号３の住宅用火災警報器２との間に金属棚などの電波障害物３６が設置され、それらの住宅用火災警報器２，２の間で無線信号を送受信できない場合が発生したとする。このとき、ＩＤ番号３の住宅用火災警報器２は、故障していなく、ＩＤ番号３の住宅用火災警報器２とＩＤ番号４の住宅用火災警報器２との間では無線信号を送受信可能となっている。
【００５９】
例えばＩＤ番号１の住宅用火災警報器２が点検信号を送信する順番であり、ＩＤ番号１の住宅用火災警報器２は、点検信号を送信する。このとき、ＩＤ番号２の住宅用火災警報器２とＩＤ番号３の住宅用火災警報器２との間で無線信号を送受信できないので、ＩＤ番号１の住宅用火災警報器２は、ＩＤ番号２の住宅用火災警報器２からの返答信号を受信するが、ＩＤ番号３〜ＩＤ番号５から返答信号を受信しない。ＩＤ番号１の住宅用火災警報器２は、その報知部５で異状の報知を行う。この報知は、連続的に行ってもよいが、電池９の電力消費を抑制するために、一定時間（例えば３０分）毎に設定時間（例えば３０秒）に亘って行われる。
【００６０】
ＩＤ番号３〜ＩＤ番号５の各住宅用火災警報器２は、ＩＤ番号１の住宅用火災警報器２から送信された点検信号を受信しないとき、それらの制御部７は、記憶部８に記憶されている点検信号を送信する順番および前回送信された順番に基づいて、所定期間の経過にしたがって送信された点検信号が自己の順番の直前の順番の住宅用火災警報器２から送信されるべき点検信号でないと判断する。例えば、ＩＤ番号３の住宅用火災警報器２は、ＩＤ番号１の住宅用火災警報器２から点検信号が送信され、ＩＤ番号２の住宅用火災警報器２から送信されるべき点検信号でないと判断する。これにより、ＩＤ番号３〜ＩＤ番号５の各住宅用火災警報器２は、点検信号を送信しない。これは、各住宅用火災警報器２は、あくまで記憶部８に記憶された順番にしたがって所定期間毎に点検信号を送信するものであり、後述するように、点検信号を受信しない住宅用火災警報器２は、自己の順番の直前の順番の住宅用火災警報器２から送信されるべき点検信号を受信しないときに点検信号を送信するものである。
【００６１】
そして、所定期間（例えば２４時間）後に、記憶部８に記憶されている順番にしたがって、ＩＤ番号２の住宅用火災警報器２は、点検信号を送信する。ＩＤ番号２の住宅用火災警報器２は、電波障害物３６により、ＩＤ番号１の住宅用火災警報器２からの返答信号を受信するが、ＩＤ番号３〜ＩＤ番号５の各住宅用火災警報器２から返答信号を受信しない。これにより、ＩＤ番号２の住宅用火災警報器２の報知部５で異状が報知される。
【００６２】
点検信号を受信しないＩＤ番号３の住宅用火災警報器２は、その制御部７が今回送信される点検信号が自己の順番の直前の順番であるＩＤ番号２の住宅用火災警報器２から送信されるべき点検信号であると判断する。このとき、ＩＤ番号３の住宅用火災警報器２は、ＩＤ番号２の住宅用火災警報器２が点検信号を送信する所定期間の終点から予め設定された遅延時間（例えば２０分）後に点検信号を送信する。
【００６３】
ＩＤ番号３の住宅用火災警報器２は、電波障害物３６により、ＩＤ番号４，５の各住宅用火災警報器２からの返答信号を受信するが、ＩＤ番号１，２の各住宅用火災警報器２から返答信号を受信しない。これにより、ＩＤ番号３の住宅用火災警報器２の報知部５で異状が報知される。
【００６４】
そして、以降、所定期間毎に、記憶部８に記憶されている順番にしたがって、順次、ＩＤ番号４，５の各住宅用火災警報器２から点検信号が送信され、ＩＤ番号４，５の各住宅用火災警報器２の報知部５で異状が報知される。こうして、電波障害物３６があると、グループ化された複数の住宅用火災警報器２の順番が一巡したときには、点検信号を送信した全ての住宅用火災警報器２で異状が報知される。
【００６５】
また、図２（ｂ）に示すように、例えばＩＤ番号３の住宅用火災警報器２とＩＤ番号２，４の各住宅用火災警報器２との間に金属棚などの電波障害物３７が設置され、ＩＤ番号３の住宅用火災警報器２とＩＤ番号２，４の各住宅用火災警報器２との間で無線信号を送受信できない場合が発生したとする。または、ＩＤ番号３の住宅用火災警報器２は、故障しているとする。このとき、ＩＤ番号３〜ＩＤ番号５の各住宅用火災警報器２は、ＩＤ番号１，２の各住宅用火災警報器２から送信される点検信号を受信しなく、かつ点検信号を送信する順番が連続する住宅用火災警報器２である。
【００６６】
ＩＤ番号３の住宅用火災警報器２は、故障でないときに、所定期間毎に送信される点検信号を受信しなく、その制御部７が受信しない点検信号が自己の順番の直前の順番であるＩＤ番号２の住宅用火災警報器２から送信されるべき点検信号であると判断すると、ＩＤ番号２の住宅用火災警報器２が点検信号を送信する所定期間の終点から予め設定された遅延時間（例えば２０分）後に点検信号を送信する。
【００６７】
ＩＤ番号３の住宅用火災警報器２は、電波障害物３７により、送信した点検信号が全ての住宅用火災警報器２に受信されず、全ての住宅用火災警報器２から返答信号を受信しない。これにより、ＩＤ番号３の住宅用火災警報器２の報知部５で異状が報知される。
【００６８】
そして、点検信号を受信しない順番が連続する２番目の住宅用火災警報器２であるＩＤ番号４の住宅用火災警報器２は、その制御部７がＩＤ番号３の住宅用火災警報器２から送信されるべき点検信号を、その点検信号が送信された時点から前記遅延時間が経過しても受信しないときには、自己のＩＤ番号を有する点検信号を送信する。これは、ＩＤ番号３の住宅用火災警報器２が故障しているときであっても、ＩＤ番号３の住宅用火災警報器２から点検信号が送信されたと演算される時点から前記遅延時間が経過しても点検信号を受信しないときには、自己のＩＤ番号を有する点検信号を送信する。
【００６９】
そして、ＩＤ番号４の住宅用火災警報器２は、ＩＤ番号５の住宅用火災警報器２からの返答信号を受信するが、ＩＤ番号１〜ＩＤ番号３の各住宅用火災警報器２から返答信号を受信しないので、報知部５で異状を報知する。
【００７０】
なお、ＩＤ番号４の住宅用火災警報器２がＩＤ番号３の住宅用火災警報器２とともに電波障害物３７の内側に位置する場合、または、ＩＤ番号４の住宅用火災警報器２が故障している場合には、ＩＤ番号５の住宅用火災警報器２は、ＩＤ番号４の住宅用火災警報器２から点検信号が送信されたと演算される時点から前記遅延時間が経過しても点検信号を受信しないときには、自己のＩＤ番号を有する点検信号を送信するものである。すなわち、点検信号を送信する順番が連続する複数の住宅用火災警報器２が点検信号を受信しないときには、当該順番の２番目以降の住宅用火災警報器２は、その直前の順番の住宅用火災警報器２から送信されるべき点検信号を受信しないときに、前記遅延時間が経過する毎に、順次、自己のＩＤ番号を有する点検信号を送信するものである。
【００７１】
上述したように、各住宅用火災警報器２は、点検信号を送信したときに他の住宅用火災警報器２の少なくとも１つから返答信号を受信しないときには、報知部５で異状を報知するように構成されているので、グループ化された複数の住宅用火災警報器２に異状の住宅用火災警報器２があることを報知させることができ、異状の住宅用火災警報器２を特定して正常に復帰させることが可能であり、これにより、複数の住宅用火災報知器２は、火災発生時に火災発生を正常に報知することができる。
【００７２】
さらに、複数の住宅用火災警報器２の何れかの故障や電波障害物３６，３７などにより、正常動作するものであって点検信号を受信しない住宅用火災警報器２があると、当該住宅用火災警報器２が記憶部８に記憶されている順番に基づいて点検信号を送信し異状を報知する構成であるので、複数の住宅用火災警報器２の順番が一巡したときには、点検信号を送信した住宅用火災警報器２でそれぞれ異状を報知することができ、これにより、屋内の人に住宅用火災警報器２に異状があることを迅速に告知して緊急な対応を促すことが期待できる。
【実施例２】
【００７３】
図８は、本発明の実施例２を示す火災警報システムを示す概略ブロック図である。なお、図１と同一部分には、同一符号を付して説明は省略する。
【００７４】
図８に示す火災警報システムとしての住宅用火災警報システム３８は、図１に示す住宅用火災警報システム１において、各住宅用火災警報器２の何れもが他の住宅用火災警報器２と無線信号を送受信可能に形成されて配設されている。そして、ＩＤ番号３の住宅用火災警報器２を包囲するように電波障害物３９が設置されているものである。または、ＩＤ番号３の住宅用火災警報器２は、故障しているものである。
【００７５】
図２（ａ）および図２（ｂ）の説明と同様に、ＩＤ番号３の住宅用火災警報器２は、他のＩＤ番号１，２，４，５の各住宅用火災警報器２から返答信号を受信しないので、自己の報知部５で異状を報知する。また、ＩＤ番号１，２，４，５の各住宅用火災警報器２は、ＩＤ番号３の住宅用火災警報器２から返答信号を受信しないので、それぞれの報知部５で異状を報知する。そして、点検信号を送信する順番が一巡したときには、点検信号を送信した全ての住宅用火災警報器２で異状が報知される。
【００７６】
こうして、グループ化された複数の住宅用火災警報器２の何れかの故障や電波障害物３９などにより、正常動作するものであって点検信号を受信しない住宅用火災警報器２があると、当該住宅用火災警報器２が点検信号を送信することにより異状を報知する構成であるので、複数の住宅用火災警報器２の順番が一巡したときには、点検信号を送信した住宅用火災警報器２でそれぞれ異状を報知することができ、これにより、屋内の人に住宅用火災警報器２に異状があることを迅速に告知して緊急な対応を促すことが期待できる。
【符号の説明】
【００７７】
１，３８…火災警報システムとしての住宅用火災報知システム、  ２…火災警報器としての住宅用火災報知器、  ３…火災検知部、  ４…送受信部、  ５…報知部、  ６…点検手段を構成する点検部、  ７…点検手段を構成する制御部、  ８…記憶部、  ９…電池
【図１】
2011248791.tif 000003
【図２】
2011248791.tif 000004
【図３】
2011248791.tif 000005
【図４】
2011248791.tif 000006
【図５】
2011248791.tif 000007
【図６】
2011248791.tif 000008
【図７】
2011248791.tif 000009
【図８】
2011248791.tif 000010